(57)【要約】【課題】  分割風呂蓋１１、１２に内側へ傾く力を作用させて、外側分割風呂蓋１２を取り外す際に、内側分割風呂蓋１１が倒れることを抑止することができる風呂蓋の支持装置１を提供する。【解決手段】  複数に分割された分割風呂蓋１１、１２の下側を支持する下側支持部２と、分割風呂蓋１１，１２の上側を支持する上側支持部３とを備えた風呂蓋の支持装置１であって、下側支持部２における分割風呂蓋１１、１２を支持する支持面２２には、複数の分割風呂蓋１１、１２のそれぞれに対応して、分割風呂蓋１１、１２単体の底面よりも短い幅の平坦部２３、２５、および平坦部２３、２５から斜め上方へ傾く傾斜部２４、２６を位置させるようにした風呂蓋の支持装置１。【選択図】図２
2020081155.tif 000002
【特許請求の範囲】
【請求項１】
浴室の壁面に固定され、複数に分割された分割風呂蓋の下側を支持する下側支持部と、前記下側支持部の上方における前記壁面に固定され、前記分割風呂蓋の上側を支持する上側支持部とを備え、前記分割風呂蓋を前記下側支持部と前記上側支持部とで支持して前記壁面に沿って支持する風呂蓋の支持装置であって、
前記下側支持部における前記分割風呂蓋を支持する支持面には、前記複数の分割風呂蓋のそれぞれに対応して、前記分割風呂蓋単体の底面よりも短い幅の平坦部、および前記平坦部から斜め上方へ傾く傾斜部が位置していることを特徴とする風呂蓋の支持装置。
【請求項２】
前記傾斜部は、前記平坦部に対して４５°〜５５°の範囲内で傾斜していることを特徴とする請求項１に記載の風呂蓋の支持装置。
【請求項３】
前記支持面は、外側へ向けて階段状に高くなるように、複数の前記平坦部および前記傾斜部が位置していることを特徴とする請求項１又は２に記載の風呂蓋の支持装置。
【請求項４】
前記上側支持部は、
下側支持部側に設けられた第１の磁気部と、前記第１の磁気部と対向するように設けられた第２の磁気部とが内面に設けられ、前記壁面に固定された有底筒状の本体部と、
前記第１の磁気部および前記第２の磁気部に磁着する第３の磁気部が内側に設けられ、前記本体部の開口端部を覆うカバー部と、を有し、
前記カバー部は、前記第３の磁気部が前記第１の磁気部に磁着し、前記分割風呂蓋を支持する支持位置と、前記第３の磁気部が前記第２の磁気部に磁着し、前記分割風呂蓋を離間する離間位置との間で、移動可能に前記本体部に取付けられていることを特徴とする請求項１乃至３のいずれか１項に記載の風呂蓋の支持装置。
【発明の詳細な説明】
【技術分野】
【０００１】
本発明は、浴室の壁面に沿って、複数に分割された分割風呂蓋を支持する風呂蓋の支持装置に関する。
【背景技術】
【０００２】
浴槽内の湯温の低下を防ぐなどのために浴槽の上面には風呂蓋が載置される。この風呂蓋は浴室内での取り扱いに便利なように複数枚に分割された分割風呂蓋（以下、「分割風呂蓋」と言う。）が一般的に普及している。この分割風呂蓋は入浴時などには不要となるもので、浴室内において邪魔にならないようにするため、浴室内の壁面（以下、「壁面」と言う。）に沿わせて保持させる風呂蓋の支持装置が提案されている。
【０００３】
例えば、下記の特許文献１には、図１４で示すように、複数枚に分割された風呂蓋Ｃ単体を重ね合わせたうえで、その下端部を壁面Ｂに固定してある下支持体ｂ２によって支持すると共に、その上端部を壁面Ｂの上方位置に固定してある上支持体a２によって支持する風呂蓋の支持装置Ａ２が開示されている。
【０００４】
この特許文献１に示された風呂蓋の支持装置Ａ２においては、図１４で示すように、壁面Ｂに固定された下支持体ｂ２および上支持体ａ２の各掛止部１５０、１５０’で、外側の風呂蓋Ｃの下縁および上縁を支持して、風呂蓋Ｃが前方へ転倒するのを抑止するようにしている。
【先行技術文献】
【特許文献】
【０００５】
【特許文献１】実開平２−１１４８１号公報
【発明の概要】
【発明が解決しようとする課題】
【０００６】
しかし、特許文献１で開示された下支持体ｂ２の掛止部１５０’は、図１４で示すように、単に壁面Ｂに直交する方向へ延びる平坦面に過ぎないため、外側の風呂蓋Ｃを下支持体ｂ２および上支持体ａ２から取り外す際に、外側の風呂蓋Ｃと内側の風呂蓋Ｃとの間で負圧が生じ、内側の風呂蓋Ｃが外側へ倒れるという重大な問題があった。
【０００７】
本発明は、上述した事情に鑑みてなされたものであって、複数の分割風呂蓋のそれぞれに対応して、分割風呂蓋単体の底面よりも短い幅の平坦部、および平坦部から斜め上方へ傾く傾斜部を位置させることで、各分割風呂蓋の下側外角部を傾斜部に当接させて、各分割風呂蓋に内側へ傾く力を作用させて、外側の分割風呂蓋を取り外す際に、内側の分割風呂蓋が倒れることを抑制することができる風呂蓋の支持装置を提供することを目的とする。
【課題を解決するための手段】
【０００８】
上記課題を解決するためになされた請求項１に記載の発明は、浴室の壁面に固定され、複数に分割された分割風呂蓋の下側を支持する下側支持部と、前記下側支持部の上方における前記壁面に固定され、前記分割風呂蓋の上側を支持する上側支持部とを備え、前記分割風呂蓋を前記下側支持部と前記上側支持部とで支持して前記壁面に沿って支持する風呂蓋の支持装置であって、前記下側支持部における前記分割風呂蓋を支持する支持面には、前記複数の分割風呂蓋のそれぞれに対応して、前記分割風呂蓋単体の底面よりも短い幅の平坦部、および前記平坦部から斜め上方へ傾く傾斜部が位置していることを特徴とする。
【０００９】
請求項１に記載の発明によれば、複数の分割風呂蓋のそれぞれに対応して、分割風呂蓋単体の底面よりも短い幅の平坦部、および平坦部から斜め上方へ傾く傾斜部を位置させることで、各分割風呂蓋の下側外角部を傾斜部に当接させて、各分割風呂蓋に内側へ傾く力を作用させて、外側（反壁面側）の分割風呂蓋を取り外す際に、内側（壁面側）に位置する分割風呂蓋が倒れるのを有効に防ぐことができる。
【００１０】
請求項２に記載の発明は、請求項１に記載された風呂蓋の支持装置であって、前記傾斜部は、前記平坦部に対して４５°〜５５°の範囲内で傾斜していることを特徴とする。
【００１１】
請求項２に記載の発明によれば、内側傾斜部および外側傾斜部が内側分割風呂蓋および外側分割風呂蓋の下側外角部に当接することで、内側分割風呂蓋および外側分割風呂蓋を内側すなわち壁面側へ倒す力を作用させることができる。
【００１２】
請求項３に記載の発明は、請求項１又は２に記載された風呂蓋の支持装置であって、前記支持面は、外側へ向けて階段状に高くなるように、複数の前記平坦部および前記傾斜部が位置していることを特徴とする。
【００１３】
請求項３に記載の発明によれば、内側分割風呂蓋および外側分割風呂蓋の各上端を外側へ向けて高く位置させることで、外側分割風呂蓋の上端のみを簡単に把持して、外側分割風呂蓋を下側支持体から取外すことができる。
【００１４】
請求項４に記載の発明は、請求項１乃至３のいずれか１つに記載された風呂蓋の支持装置であって、前記上側支持部は、下側支持部側に設けられた第１の磁気部と、前記第１の磁気部と対向するように設けられた第２の磁気部とが内面に設けられ、前記壁面に固定された有底筒状の本体部と、前記第１の磁気部および前記第２の磁気部に磁着する第３の磁気部が内側に設けられ、前記本体部の開口端部を覆うカバー部と、を有し、前記カバー部は、前記第３の磁気部が前記第１の磁気部に磁着し、前記分割風呂蓋を支持する支持位置と、前記第３の磁気部が前記第２の磁気部に磁着し、前記分割風呂蓋を離間する離間位置との間で、移動可能に前記本体部に取付けられていることを特徴とする。
【００１５】
請求項４に記載の発明によれば、カバー部が支持位置と離間位置へ切替った際に、カバー部における第３の磁気部が第１の磁気部および第２の磁気部に選択的に磁着することで、支持位置および離間位置間における切替えによる機械的な摩耗等を防ぎ、継続的に支持力を保持することでき、使い勝手の良好な風呂蓋の支持装置を提供することができる。
【発明の効果】
【００１６】
本発明に係る風呂蓋支持装置は、前記した構成よりなるものであって、複数の分割風呂蓋のそれぞれに対応して、分割風呂蓋単体の底面よりも短い幅の平坦部、および平坦部から斜め上方へ傾く傾斜部を位置させることで、各分割風呂蓋の下側外角部を傾斜部に当接させて、各分割風呂蓋に内側へ傾く力を作用させて、外側（反壁面側）の分割風呂蓋を取り外す際に、内側（壁面側）に位置する分割風呂蓋が倒れるのを有効に防ぐことができるものである。
【図面の簡単な説明】
【００１７】
【図１】第一実施例の風呂蓋の支持装置を浴室に設置した状態の概略図である。
【図２】図１の風呂蓋の支持装置の概略図である。
【図３】図１の風呂蓋の支持装置の側面における要部拡大図である。
【図４】図１の下側支持体の斜視図である。
【図５】図１の下側支持体の後方斜視図である。
【図６】図１の上側支持体の斜視図である。
【図７】図１の上側支持体における本体部の斜視図である。
【図８】図１の上側支持体におけるカバー部の後方斜視図である。
【図９】図２の風呂蓋の支持装置におけるカバー部を離間位置へ移動した状態における概略図である。
【図１０】図９の風呂蓋の支持装置における要部拡大図である。
【図１１】（Ａ）は図３の風呂蓋の支持装置のＡ部拡大図であり、（Ｂ）は外側分割風呂蓋を手前に倒した状態の概略図であり、（Ｃ）は外側分割風呂蓋を下側支持体から取外した状態の概略図である。
【図１２】図２の風呂蓋の支持装置を用いて内側分割風呂蓋および外側分割風呂蓋を壁面に沿って固定する固定方法を示すフローチャートである。
【図１３】図２の風呂蓋の支持装置から壁面に固定された内側分割風呂蓋および外側分割風呂蓋を取外す取外し方法を示すフローチャートである。
【図１４】従来例の風呂蓋の支持装置を示す斜視図である。
【発明を実施するための形態】
【００１８】
（第一実施例）
以下、図面を参照して、本発明の第一実施例に係る風呂蓋の支持装置１について説明する。
【００１９】
図１は第一実施例の風呂蓋の支持装置１を浴室に設置した状態の概略図であり、図２は図１の風呂蓋の支持装置１の概略図であり、図３は図１の風呂蓋の支持装置１の側面における要部拡大図であり、図４は図１の下側支持部２の斜視図であり、図５は図１の下側支持部２の後方斜視図であり、図６は図１の上側支持部３の斜視図であり、図７は図１の上側支持部３における本体部３１の斜視図であり、図８は図１の上側支持部３におけるカバー部３２の後方斜視図であり、図９は図２の風呂蓋の支持装置１におけるカバー部３２を離間位置へ移動した状態における概略図であり、図１０は図９の風呂蓋の支持装置１における要部拡大図である。
なお、上側支持部３における幅方向をＸ軸、上側支持部３における厚さ方向をＹ軸、上側支持部３における高さ方向をＺ軸とする。
【００２０】
図１および２で示すように、引用符号１は、本実施例の風呂蓋の支持装置である。内側分割風呂蓋（分割風呂蓋）１１および外側分割風呂蓋（分割風呂蓋）１２は、浴槽１３の開口部１３ａを塞ぐ風呂蓋を浴槽１３の長手方向に２分割したものであり、浴槽１３内の水温を維持等するものである。
【００２１】
図１乃至３で示すように、風呂蓋の支持装置１は、内側分割風呂蓋１１、外側分割風呂蓋１２と内側（壁面側）から順に重ねて、壁面１５に沿って固定する。具体的には、風呂蓋の支持装置１を用いて、操作パネル１４の上部の壁面１５に沿って、内側分割風呂蓋１１および外側分割風呂蓋１２を固定する。
【００２２】
図１および２で示すように、風呂蓋の支持装置１は、壁面１５に固定され、内側分割風呂蓋１１および外側分割風呂蓋１２のそれぞれにおける下側の両側部を支持する一対の下側支持部２と、一対の下側支持部２の略中央上部の壁面１５に固定され、内側分割風呂蓋１１および外側分割風呂蓋１２の上側を支持する上側支持部３と、を備える。
【００２３】
下側支持部２は、図３乃至図５で示す実施形態の場合は、壁面１５に固定するためのフラットな面を形成してある取付部２１Ａと、この取付部２１Ａより嵩高に形成してある浴室側となる表面部２７とを備えており、取付部２１Ａと表面部２７の間には、階段状の段差を形成してある支持面２２が設けられている。
【００２４】
このフラットな面となっている前記取付部２０Ａには、図５で示すようにボルトやビスなどの挿通部材（不図示）を挿通させるための下側挿通孔２１を複数個形成されている。
【００２５】
下側支持部２における内側分割風呂蓋１１および外側分割風呂蓋１２を支持する支持面２２は、図３乃至図５で示すように、外側（浴室側）へ向けて階段状に高くなるように形成されている。より具体的には、支持面２２は、内側分割風呂蓋１１に対応して、内側分割風呂蓋１１の底面の幅よりも短い内側平坦部（平坦部）２３および内側平坦部２３から斜め上方へ傾く内側傾斜部（傾斜部）２４が形成されており、外側分割風呂蓋１２に対応して、外側分割風呂蓋１２の底面の幅よりも短い外側平坦部（平坦部）２５および外側平坦部２５から斜め上方へ傾く外側傾斜部（傾斜部）２６と、が形成されている。
【００２６】
内側平坦部２３および外側平坦部２５は、図３で示すように、内側分割風呂蓋１１および外側分割風呂蓋１２の底面の幅よりも短く形成されていることで、内側平坦部２３および外側平坦部２５に連続する内側傾斜部２４および外側傾斜部２６を内側分割風呂蓋１１および外側分割風呂蓋１２の各下側外角部１１a、１２aに当接させることができる。
【００２７】
ここで、内側傾斜部２４および外側傾斜部２６を、内側平坦部２３および外側平坦部２５に対して、４５°〜５５°の範囲内の傾斜角度にすると良い。この傾斜角度の内側傾斜部２４および外側傾斜部２６に内側分割風呂蓋１１および外側分割風呂蓋１２の各下側外角部１１a、１２aを当接させることで、内側分割風呂蓋１１および外側分割風呂蓋１２を内側（壁面側）へ倒す力を適切に作用させることができる。
【００２８】
上側支持部３は、図６乃至図８で示すように、一方の面を開口とした有底筒状の本体部３１と、この本体部３１における先端開口部３１ａを覆い、本体部３１に対して上下方向へスライド自在に取付けられた略板状のカバー部３２とを有する。
【００２９】
本体部３１は、図７で示すように、断面視上に凸のＤ字形状をしており、上側の側面が円弧状に形成されている。下側の内側面には、例えばマグネットなどからなる本体下側磁気部（第１の磁気部）３１ｂが設けられており、上側の内側面には、本体下側磁気部３１ｂと対向するように、例えばマグネットなどからなる本体上側磁気部（第２の磁気部）３１ｃが設けられている。
【００３０】
本体部３１の底部は、図７で示すように、壁面１５に密着するようにフラットな面で構成されており、ボルトやビスなどの挿通部材（不図示）を挿通する上側挿通孔３１ｄが複数形成されている。また、本体部３１の先端開口部３１ａにおける両側部には、上下方向へ延びる一対の誘導突起３１ｅが設けられている。
【００３１】
カバー部３２における内側両側部には、図８で示すように、前記誘導突起３１ｅを誘導する一対の誘導溝３２ａが形成されている。この誘導溝３２ａに誘導突起３１ｅを係合させることで、カバー部３２が本体部３１に対して上下方向へ移動可能に取付けられている。
【００３２】
カバー部３２の内側における前記した本体上側磁気部３１ｃおよび本体下側磁気部３１ｂに挟まれる位置には、図８で示すように、例えばマグネットなどからなるカバー側磁気部（第３の磁気部）３２ｂが取付けられている。
【００３３】
カバー側磁気部３２ｂは、本体部３１に対してカバー部３２を上方へ移動させて、本体上側磁気部３１ｃに磁着し、カバー部３２が内側分割風呂蓋１１および外側分割風呂蓋１２から離間する離間位置（以下、「離間位置」と言う。）（図９および１０）と、本体部３１に対してカバー部３２を下方へ移動させて、本体下側磁気部３１ｂに磁着し、カバー部３２が内側分割風呂蓋１１および外側分割風呂蓋１２を支持する支持位置（以下、「支持位置」と言う。）（図２および３）と、の間で移動可能にカバー部３２の開口端部に取付けられている。
【００３４】
本実施例の風呂蓋の支持装置１は、カバー側磁気部３２ｂを本体上側磁気部３１ｃおよび本体下側磁気部３１ｂに選択的に磁着させて、カバー部３２の離間位置および支持位置を保持する構成のため、特許文献１の風呂蓋の支持装置Ａ２の上支持体a２における掛止部１５０の係止構造（掛止部１５０を支軸に対して回動して風呂蓋Ｃを支持する構造）と異なり、カバー部３２を離間位置から支持位置へ切替える際に係止構造部間での摩耗が生じることを低減することができる。
【００３５】
すなわち、本実施例の風呂蓋の支持装置１は、特許文献１の風呂蓋の支持装置Ａ２と異なり、本体上側磁気部３１ｃおよび本体下側磁気部３１ｂとカバー側磁気部３２ｂを選択的に磁着して、カバー部３２を離間位置および支持位置に保持することで、離間位置から支持位置へ切替える際に、特許文献１の掛止部１５０’の係止構造間の摩耗を防ぎ、カバー部３２で内側分割風呂蓋１１および外側分割風呂蓋１２を支持する支持力を継続的に保持することができる。
【００３６】
次に、本実施例の風呂蓋の支持装置１を用いて内側分割風呂蓋１１および外側分割風呂蓋１２を壁面１５に固定する固定方法について説明する。初期条件として、一対の下側支持部２は、複数の下側挿通孔２１に複数の挿通部材（不図示）を挿通して、壁面１５に固定されており、カバー部３２は、カバー側磁気部３２ｂが本体上側磁気部３１ｃに磁着し、離間位置に保持されているものとする。また、上側支持部３は、複数の上側挿通孔３１ｄに複数の挿通部材（不図示）を挿通して、一対の下側支持部２の中央上部の壁面１５に固定されるものとする。
【００３７】
図１１（Ａ）は図３の風呂蓋の支持装置１のＡ部拡大図であり、（Ｂ）は外側分割風呂蓋１２を手前に倒した状態の概略図であり、（Ｃ）は外側分割風呂蓋１２を下側支持部２から取外した状態の概略図であり、図１２は図２の風呂蓋の支持装置１を用いて内側分割風呂蓋１１および外側分割風呂蓋１２を壁面１５に沿って固定する固定方法を示すフローチャートである。
【００３８】
使用者は、図１１（C）で示すように、内側分割風呂蓋１１を壁面１５に沿わせて、内側平坦部２３および内側傾斜部２４に載置する（ＳＴＥＰ１、２）。内側分割風呂蓋１１が内側平坦部２３および内側傾斜部２４に載置されると、内側分割風呂蓋１１の内面が壁面１５に押圧され、内側分割風呂蓋１１の下側外角部１１aが内側傾斜部２４に支持される。内側分割風呂蓋１１が壁面１５と内側傾斜部２４で支持された後、使用者は、図１１（Ｂ）で示すように、内側分割風呂蓋１１に沿うように、外側分割風呂蓋１２を外側平坦部２５および外側傾斜部２６に載置する（ＳＴＥＰ３）。
【００３９】
外側分割風呂蓋１２が外側平坦部２５および外側傾斜部２６に載置されると、図１１（Ｂ）で示すように、外側分割風呂蓋１２が内側分割風呂蓋１１を押圧し、外側分割風呂蓋１２の下側外角部１２aが外側傾斜部２６に支持される。外側分割風呂蓋１２が内側分割風呂蓋１１と外側傾斜部２６で支持された後、使用者は、内側分割風呂蓋１１および外側分割風呂蓋１２を壁面１５に押し付けて、図２で示すように、カバー部３２を下方へ移動させて、カバー側磁気部３２ｂを本体下側磁気部３１ｂに磁着させて、カバー部３２を支持位置で保持する（ＳＴＥＰ４）。
【００４０】
カバー部３２が支持位置に保持されると、図１１（A）で示すように、カバー部３２により内側分割風呂蓋１１および外側分割風呂蓋１２の上部が支持され、内側分割風呂蓋１１および外側分割風呂蓋１２が壁面１５に沿って、固定されて固定作業が終了する（ＳＴＥＰ５）。
【００４１】
本実施例の風呂蓋の支持装置１は、内側分割風呂蓋１１の下側外角部１１aを内側傾斜部２４に当接させて、内側分割風呂蓋１１の上部を壁面１５側に傾斜させて壁面１５に押し付けるとともに、外側分割風呂蓋１２の下側外角部１２aを外側傾斜部２６に当接させることによって、外側分割風呂蓋１２の上部を内側分割風呂蓋１１側へ傾斜させ、内側分割風呂蓋１１および外側分割風呂蓋１２のそれぞれを下側支持部２および上側支持部３内に安定した状態で位置させることができる。
【００４２】
また、本実施例の風呂蓋の支持装置１は、内側分割風呂蓋１１および外側分割風呂蓋１２を支持する支持面２２を外側へ向けて階段状に高く形成することで、内側分割風呂蓋１１および外側分割風呂蓋１２の各上端も外側へ向けて高く位置させることができる。
【００４３】
このように内側分割風呂蓋１１および外側分割風呂蓋１２の各上端を外側へ向けて高く位置させることで、外側分割風呂蓋１２の上端のみを簡単に把持して、外側分割風呂蓋１２を下側支持部２から取外すことができる。
【００４４】
さらに、本実施例の風呂蓋の支持装置１は、内側分割風呂蓋１１および外側分割風呂蓋１２を下側支持部２で支持させて、外側分割風呂蓋１２を壁面１５側に押し付けた状態で、カバー部３２を支持位置へ移動させるだけで、内側分割風呂蓋１１および外側分割風呂蓋１２を壁面１５に沿って簡単に固定することができる。
【００４５】
次に、本実施例の風呂蓋の支持装置１により壁面１５に固定された内側分割風呂蓋１１および外側分割風呂蓋１２を取外す取外し方法について説明する。初期条件として、一対の下側支持部２は、複数の下側挿通孔２１に複数の挿通部材（不図示）を挿通させて、壁面１５に固定されており、カバー部３２は、カバー側磁気部３２ｂが本体下側磁気部３１ｂに磁着して、カバー部３２を支持位置に保持させているものとする。また、上側支持部３は、一対の下側支持部２の中央上部の壁面１５に固定されるように、複数の上側挿通孔３１ｄに複数の挿通部材（不図示）が挿通されているものとする。
【００４６】
図１３は、図２の風呂蓋の支持装置１から壁面１５に固定された内側分割風呂蓋１１および外側分割風呂蓋１２を取外す取外し方法を示すフローチャートである。
【００４７】
使用者は、図９で示すように、カバー部３２を上方へ押し上げて、カバー側磁気部３２ｂを本体上側磁気部３１ｃに磁着させて、カバー部３２を離間位置で保持させる（ＳＴＥＰ１０、１１）。
【００４８】
カバー部３２が離間位置で保持されると、使用者は、図１１（Ｂ）で示すように、外側分割風呂蓋１２の上端を掴んで、前側（反壁面側）へ倒して外側平坦部２５および外側傾斜部２６から取外す（ＳＴＥＰ１２）。
【００４９】
この際、図１１（Ｂ）で示すように、外側分割風呂蓋１２の下側内角部１２ｂが内側分割風呂蓋１１を壁面１５側へ押圧するとともに、内側分割風呂蓋１１の下側外角部１１aが内側傾斜部２４に当接することで、内側分割風呂蓋１１に壁面１５側へ倒す力を作用させ、外側分割風呂蓋１２の取外しに伴って生じる外側分割風呂蓋１２と内側分割風呂蓋１１との間での負圧により、内側分割風呂蓋１１が外側（反壁面側）へ倒れることを防止することができる。
【００５０】
使用者は、図１１（Ｃ）で示すように、外側分割風呂蓋１２を取外した後、内側分割風呂蓋１１を前側へ倒して、内側平坦部２３および内側傾斜部２４から取外して、取外し作業を終了する（ＳＴＥＰ１３、１４）。
【００５１】
本実施例の風呂蓋の支持装置１は、単に内側平坦部２３および外側平坦部２５を内側分割風呂蓋１１および外側分割風呂蓋１２の底面の幅よりも短く形成し、内側分割風呂蓋１１および外側分割風呂蓋１２の下側外角部１１a、１２aを内側傾斜部２４および外側傾斜部２６に当接させるだけの簡単な構成で、内側分割風呂蓋１１および外側分割風呂蓋１２のそれぞれに壁面１５側へ倒れる力を作用させ、かつ外側分割風呂蓋１２の下側内角部１２ｂで内側分割風呂蓋１１を押し付けて、外側分割風呂蓋１２を取外す際に、内側分割風呂蓋１１が外側へ倒れることを抑制することができる。
【００５２】
（他の実施例）
上記第一実施例の風呂蓋の支持装置１において、下側支持部２は、一対設けられているものとして説明したが、特にこれに限られるものではなく、内側分割風呂蓋１１および外側分割風呂蓋１２を支持できるものであれば、１つ又は３つ以上壁面１５に設けるものであっても良い。
【００５３】
上記第一実施例の風呂蓋の支持装置１において、上側支持部３を、一対の下側支持部２の中央上部に設けるものとして説明したが、特にこれに限られるものではなく、内側分割風呂蓋１１および外側分割風呂蓋１２が外側に倒れないように支持できるものであれば、２つ以上壁面１５に設けられるものであっても良い。
【００５４】
上記第一実施例の風呂蓋の支持装置１において、上側支持部３および下側支持部２に支持される分割風呂蓋を、内側分割風呂蓋１１および外側分割風呂蓋１２の２つとして説明したが、３つ以上に分割されているものでも良い。この場合、下側支持部２の支持面２２は、複数の分割風呂蓋（不図示）のそれぞれに対応して、平坦部（不図示）および傾斜部（不図示）が位置するように、複数設けるものとする。
【００５５】
上記第一実施例の風呂蓋の支持装置１において、下側支持部２における支持面２２を外側へ向けて階段状に高くなるものとして説明したが、特にこれに限られるものではなく、外側分割風呂蓋１２を取り外す際に、外側分割風呂蓋１２の下側内角部１２ｂが内側分割風呂蓋１１を押圧できるように、外側分割風呂蓋１２が内側分割風呂蓋１１に接触するように収納できるものであれば良い。
【００５６】
また、上記第一実施例の風呂蓋の支持装置１において、本体下側磁気部３１ｂ、本体上側磁気部３１ｃおよびカバー側磁気部３２ｂは、それぞれマグネットなどの磁性体として説明したが、特にこれに限られるものではなく、本体下側磁気部３１ｂおよび本体上側磁気部３１ｃ、又はカバー側磁気部３２ｂがマグネットであれば、マグネットでない本体下側磁気部３１ｂおよび本体上側磁気部３１ｃ、又はカバー側磁気部３２ｂを磁性金属片などのマグネットが磁着できるものであれば良い。
【００５７】
さらに、上記第一実施例の風呂蓋の支持装置１において、取付部２１Aには、下側挿通孔２１を複数個形成するものとして説明したが、特にこれに限られるものではなく、壁面１５に対して取付部２１Aを接着手段（不図示）などにより取付け可能であれば、特に下側挿通孔２１を設けなくても良い。
【００５８】
同様に、上記第一実施例の風呂蓋の支持装置１において、本体部３１の底部には、上側挿通孔３１ｄが複数形成されているものとして説明したが、特にこれに限られるものではなく、壁面１５に対して本体部３１の底部を接着手段（不図示）などにより取付け可能であれば、特に上側挿通孔３１ｄを設けくても良い。
【００５９】
本発明は、その精神または主要な特徴から逸脱することなく。他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替及び改質は、すべて本発明の範囲内のものである。
【符号の説明】
【００６０】
１…風呂蓋の支持装置
１１…内側分割風呂蓋（分割風呂蓋）      １１a…下側外角部      １１ｂ…下側内角部    １２…外側分割風呂蓋（分割風呂蓋）      １２a…下側外角部      １２ｂ…下側内角部    １３…浴槽      １３a…開口部    １４…操作パネル    １５…壁面
２…下側支持部
２１…下側挿通孔      ２１a…取付部    ２２…支持面    ２３…内側平坦部（平坦部）    ２４…内側傾斜部（傾斜部）    ２５…外側平坦部（平坦部）    ２６…外側傾斜部（傾斜部）    ２７…表面部
３…上側支持部
３１…本体部      ３１a…先端開口部      ３１ｂ…本体下側磁気部（第１の磁気部）      ３１ｃ…本体上側磁気部（第２の磁気部）      ３１ｄ…上側挿通孔      ３１e…誘導突起    ３２…カバー部      ３２a…誘導溝      ３２ｂ…カバー側磁気部（第３の磁気部）
【図１】
2020081155.tif 000003
【図２】
2020081155.tif 000004
【図３】
2020081155.tif 000005
【図４】
2020081155.tif 000006
【図５】
2020081155.tif 000007
【図６】
2020081155.tif 000008
【図７】
2020081155.tif 000009
【図８】
2020081155.tif 000010
【図９】
2020081155.tif 000011
【図１０】
2020081155.tif 000012
【図１１】
2020081155.tif 000013
【図１２】
2020081155.tif 000014
【図１３】
2020081155.tif 000015
【図１４】
2020081155.tif 000016